(57)【要約】      （修正有）【課題】電磁ノイズの漏洩や静電気放電が生じにくい電子部品を提供する。【解決手段】実装基板４０が、境界線４５を挟んで面内方向に分離された第１〜第２ＧＮＤ４１、４２と、第１ＧＮＤと共に伝送線路を構成する一対の第１配線４７と、第２ＧＮＤと共に伝送線路を構成する一対の第２配線４８とを含む。実装基板に実装されたパルストランス１０が、一次巻線３６と、二次巻線３７と、一次巻線の両端に接続された第１〜第２電極２１、２２と、一次巻線のセンタータップとなる第３電極２３と、二次巻線の両端に接続された第４〜第５電極２４、２５と、二次巻線のセンタータップとなる第６電極２６とを含む。第１〜第２電極が、それぞれ一対の第１配線に接続されており、第３電極が第１ＧＮＤに接続されており、第４〜第５電極が、それぞれ一対の第２配線に接続されており、第６電極が第２ＧＮＤに接続されている。【選択図】図２
2018107305.tif 000002
【特許請求の範囲】
【請求項１】
実装基板と、
前記実装基板に実装された表面実装型のパルストランスと
を有し、
前記実装基板は、
仮想的な境界線を挟んで面内方向に分離された第１のグランドプレーン及び第２のグランドプレーンと、
前記第１のグランドプレーンとともに伝送線路を構成する一対の第１の配線と、
前記第２のグランドプレーンとともに伝送線路を構成する一対の第２の配線と
を含み、
前記パルストランスは、
一次巻線と、
二次巻線と、
前記一次巻線の両端にそれぞれ接続された第１の外部電極及び第２の外部電極と、
前記一次巻線のセンタータップとなる第３の外部電極と、
前記二次巻線の両端にそれぞれ接続された第４の外部電極及び第５の外部電極と、
前記二次巻線のセンタータップとなる第６の外部電極と
を含み、
前記第１の外部電極、前記第２の外部電極、及び前記第３の外部電極が前記境界線より前記第１のグランドプレーン側に配置され、前記第４の外部電極、前記第５の外部電極、及び前記第６の外部電極が前記境界線より前記第２のグランドプレーン側に配置される姿勢で前記パルストランスが前記実装基板に実装されており、
前記第１の外部電極及び前記第２の外部電極が、それぞれ一対の前記第１の配線に接続されており、
前記第３の外部電極が前記第１のグランドプレーンに接続されており、
前記第４の外部電極及び前記第５の外部電極が、それぞれ一対の前記第２の配線に接続されており、
前記第６の外部電極が前記第２のグランドプレーンに接続されている電子部品。
【請求項２】
前記一次巻線及び前記二次巻線のコイル軸が、前記第１のグランドプレーンと前記第２のグランドプレーンとを隔てる方向と直交する姿勢で前記パルストランスが前記実装基板に実装されている請求項１に記載の電子部品。
【請求項３】
前記第３の外部電極及び前記第６の外部電極の各々は、分離された２つの電極導体を含み、
前記一次巻線は、巻芯部に巻かれた第１のコイルと第２のコイルとを含み、前記第１のコイルの一方の端部が前記第１の外部電極に接続され、他方の端部が前記第３の外部電極の一方の電極導体に接続され、前記第２のコイルの一方の端部が前記第２の外部電極に接続され、他方の端部が前記第３の外部電極の他方の電極導体に接続されており、
前記二次巻線は、前記巻芯部に巻かれた第３のコイルと第４のコイルとを含み、前記第３のコイルの一方の端部が前記第４の外部電極に接続され、他方の端部が前記第６の外部電極の一方の電極導体に接続され、前記第４のコイルの一方の端部が前記第５の外部電極に接続され、他方の端部が前記第６の外部電極の他方の電極導体に接続されている請求項１または２に記載の電子部品。
【請求項４】
前記第１の外部電極と前記第２の外部電極とは、前記境界線と直交する方向に並んでおり、前記第４の外部電極及び前記第５の外部電極も、前記境界線と直交する方向に並んでおり、
一対の前記第１の配線は、それぞれ前記第１の外部電極及び前記第２の外部電極との接続箇所から前記境界線に平行な方向に延び、その後、前記境界線から離れる方向に延びており、
一対の前記第２の配線は、それぞれ前記第４の外部電極及び前記第５の外部電極との接続箇所から前記境界線に平行な方向に延び、その後、前記境界線から離れる方向に延びている請求項１乃至３のいずれか１項に記載の電子部品。
【請求項５】
平面視において、前記一次巻線及び前記二次巻線は、前記境界線に重なり、前記第１のグランドプレーン及び前記第２のグランドプレーンのいずれにも重ならない位置に配置されている請求項１乃至４のいずれか１項に記載の電子部品。
【請求項６】
巻芯部と、
前記巻芯部に巻きつけられた一次巻線及び二次巻線と、
前記一次巻線の両端にそれぞれ接続された第１の外部電極及び第２の外部電極と、
前記一次巻線のセンタータップとなる第３の外部電極と、
前記二次巻線の両端にそれぞれ接続された第４の外部電極及び第５の外部電極と、
前記二次巻線のセンタータップとなる第６の外部電極と
を有する表面実装型のパルストランスであって、
平面視において、前記一次巻線及び前記二次巻線のコイル軸が直線であり、前記第１の外部電極、前記第２の外部電極、及び前記第３の外部電極が、前記コイル軸の一方の側に配置され、かつ前記コイル軸に直交する幅方向に関して前記一次巻線及び前記二次巻線よりも外側に配置されており、前記第４の外部電極、前記第５の外部電極、及び前記第６の外部電極が、前記コイル軸の他方の側に配置され、かつ、前記幅方向に関して前記一次巻線及び前記二次巻線よりも外側に配置されているパルストランス。
【発明の詳細な説明】
【技術分野】
【０００１】
本発明は、電子部品及びパルストランスに関する。
【背景技術】
【０００２】
パソコン等の一般民生機器や業務用データサーバ等に用いられる通信方式としてイーサネット等の技術が広く使用されている。イーサネット等では、電磁ノイズ対策や外部からの静電気対策としてほぼ標準的にパルストランスが使用されている。パルストランスとして、従来、トロイダル型のフェライトコアにワイヤを巻き付けた構造のものが主流であった。近年、角柱型のコアにワイヤを巻き付けた表面実装型のものが実用化されている（特許文献１参照）。
【０００３】
特許文献１に開示されたパルストランスでは、コアに４本のワイヤが巻き付けられている。コアの両端にそれぞれ鍔部が設けられており、鍔部の各々に４つの電極が配置されている。ワイヤの各々の一方の端部は一方の鍔部の電極に接続され、他方の端部は他方の鍔部の電極に接続されている。
【０００４】
第１のワイヤの一方の端部の電極と第２のワイヤの一方の端部の電極が接続される。第１のワイヤと第２のワイヤとが一次巻線を構成し、第１のワイヤと第２のワイヤとを接続する電極が一次巻線のセンタータップとしての役割を持つ。第１のワイヤの他方の電極と、第２のワイヤの他方の電極とが一次巻線の両端の電極としての役割を持つ。同様に第３のワイヤと第４のワイヤとが二次巻線を構成する。
【０００５】
一次巻線及び二次巻線のコイル軸の方向を長さ方向としたとき、一次巻線の両端の電極と二次巻線のセンタータップの電極とが長さ方向の一方の端部に配置され、二次巻線の両端の電極と一次巻線のセンタータップの電極とが他方の端部に配置される。パルストランスは、一次巻線及び二次巻線のコイル軸方向に長い外形を有する。
【０００６】
パルストランスを使用することにより、高周波素子側の回路及びコネクタ側の回路が相互に電気的に絶縁される。高周波素子側のグランドプレーン及びコネクタ側のグランドプレーンも相互に分離されて、電気的に絶縁されている。パルストランスの一次巻線の両端が高周波素子側の配線に接続され、一次巻線のセンタータップが高周波素子側のグランドプレーンに接続される。パルストランスの二次巻線の両端がコネクタ側の配線に接続され、二次巻線のセンタータップがコネクタ側のグランドプレーンに接続される。
【先行技術文献】
【特許文献】
【０００７】
【特許文献１】特開２０１６−１５４２０６号公報
【発明の概要】
【発明が解決しようとする課題】
【０００８】
高周波素子側の配線とグランドプレーンとによって高周波素子側の伝送線路が構成され、コネクタ側の配線とグランドプレーンとによってコネクタ側の伝送線路が構成される。通常の差動信号伝送線路に挿入されるコモンモードチョークコイル等の部品と同様に、パルストランスを伝送線路に沿って配置すると、高周波素子側のグランドプレーンとコネクタ側のグランドプレーンとの境界線をパルストランスが跨ぎ、一次巻線の両端の電極が高周波素子側の配線に接続され、二次巻線の両端の電極がコネクタ側の配線に接続される。このとき、平面視において、一次巻線のセンタータップの電極がコネクタ側のグランドプレーンが形成された領域に配置され、二次巻線のセンタータップの電極が高周波素子側のグランドプレーンが形成された領域に配置される。
【０００９】
一次巻線のセンタータップの電極とコネクタ側のグランドプレーンとが近接し、二次巻線のセンタータップの電極と高周波素子側のグランドプレーンとが近接してしまうため、高周波素子側の回路とコネクタ側の回路との間の寄生容量が大きくなる。その結果、高周波素子側で発生した電磁ノイズが、寄生容量及びコネクタを介してケーブルまで漏洩しやすくなる。さらに、高周波素子側の回路とコネクタ側の回路とが近づくことにより、静電気放電等に対する耐性が低下する。
【００１０】
本発明の目的は、パルストランスを実装し、電磁ノイズの漏洩や静電気放電が生じにくい電子部品を提供することである。本発明の他の目的は、この電子部品への使用に適したパルストランスを提供することである。
【課題を解決するための手段】
【００１１】
本発明の第１の観点による電子部品は、
実装基板と、
前記実装基板に実装された表面実装型のパルストランスと
を有し、
前記実装基板は、
仮想的な境界線を挟んで面内方向に分離された第１のグランドプレーン及び第２のグランドプレーンと、
前記第１のグランドプレーンとともに伝送線路を構成する一対の第１の配線と、
前記第２のグランドプレーンとともに伝送線路を構成する一対の第２の配線と
を含み、
前記パルストランスは、
一次巻線と、
二次巻線と、
前記一次巻線の両端にそれぞれ接続された第１の外部電極及び第２の外部電極と、
前記一次巻線のセンタータップとなる第３の外部電極と、
前記二次巻線の両端にそれぞれ接続された第４の外部電極及び第５の外部電極と、
前記二次巻線のセンタータップとなる第６の外部電極と
を含み、
前記第１の外部電極、前記第２の外部電極、及び前記第３の外部電極が前記境界線より前記第１のグランドプレーン側に配置され、前記第４の外部電極、前記第５の外部電極、及び前記第６の外部電極が前記境界線より前記第２のグランドプレーン側に配置される姿勢で前記パルストランスが前記実装基板に実装されており、
前記第１の外部電極及び前記第２の外部電極が、それぞれ一対の前記第１の配線に接続されており、
前記第３の外部電極が前記第１のグランドプレーンに接続されており、
前記第４の外部電極及び前記第５の外部電極が、それぞれ一対の前記第２の配線に接続されており、
前記第６の外部電極が前記第２のグランドプレーンに接続されている。
【００１２】
第１の配線に接続される一次巻線の第１の電極、第２の電極、及び第３の電極を、第２のグランドプレーンから遠ざけることができる。同様に、第２の配線に接続される二次巻線の第４の電極、第５の電極、及び第６の電極を第１のグランドプレーンから遠ざけることができる。この構成により、電磁ノイズの漏洩や静電気放電が生じにくい電子機器が得られる。
【００１３】
本発明の第２の観点による電子部品は、第１の観点による電子部品の構成に加えて、
前記一次巻線及び前記二次巻線のコイル軸が、前記第１のグランドプレーンと前記第２のグランドプレーンとを隔てる方向と直交する姿勢で前記パルストランスが前記実装基板に実装されている。
【００１４】
コイル軸を第１のグランドプレーンと第２のグランドプレーンとを隔てる方向と直交させると、上述の第１の観点による構成を適用するために、平面視において、コイル軸を基準として一方の側に一次巻線の第１の電極、第２の電極、及び第３の電極を配置し、他方の側に二次巻線の第４の電極、第５の電極、及び第６の電極を配置すればよい。
【００１５】
本発明の第３の観点による電子部品は、第１及び第２の観点による電子部品の構成に加えて、
前記第３の外部電極及び前記第６の外部電極の各々が、分離された２つの電極導体を含み、
前記一次巻線は、巻芯部に巻かれた第１のコイルと第２のコイルとを含み、前記第１のコイルの一方の端部が前記第１の外部電極に接続され、他方の端部が前記第３の外部電極の一方の電極導体に接続され、前記第２のコイルの一方の端部が前記第２の外部電極に接続され、他方の端部が前記第３の外部電極の他方の電極導体に接続されており、
前記二次巻線は、前記巻芯部に巻かれた第３のコイルと第４のコイルとを含み、前記第３のコイルの一方の端部が前記第４の外部電極に接続され、他方の端部が前記第６の外部電極の一方の電極導体に接続され、前記第４のコイルの一方の端部が前記第５の外部電極に接続され、他方の端部が前記第６の外部電極の他方の電極導体に接続されている。
【００１６】
第３の外部電極の２つの電極導体を接続することにより、第１のコイルと第２のコイルとで一次巻線を構成することができる。同様に、第６の外部電極の２つの電極導体を接続することにより、第３のコイルと第４のコイルとで二次巻線を構成することができる。この構成において、第３の外部電極が一次巻線のセンタータップとなり、第６の外部電極が二次巻線のセンタータップとなる。
【００１７】
本発明の第４の観点による電子部品は、第１から第３の観点による電子部品の構成に加えて、
前記第１の外部電極と前記第２の外部電極とが、前記境界線と直交する方向に並んでおり、前記第４の外部電極及び前記第５の外部電極も、前記境界線と直交する方向に並んでおり、
一対の前記第１の配線は、それぞれ前記第１の外部電極及び前記第２の外部電極との接続箇所から前記境界線に平行な方向に延び、その後、前記境界線から離れる方向に延びており、
一対の前記第２の配線は、それぞれ前記第４の外部電極及び前記第５の外部電極との接続箇所から前記境界線に平行な方向に延び、その後、前記境界線から離れる方向に延びている。
【００１８】
第１の配線及び第２の配線を上述の構成にすることにより、例えば、第１の配線を第１のグランドプレーン上に配置された高周波素子に接続し、第２の配線を第２のグランドプレーン上に配置されたコネクタに接続することができる。
【００１９】
本発明の第５の観点による電子部品は、第１から第４の観点による電子部品の構成に加えて、
平面視において、前記一次巻線及び前記二次巻線が、前記境界線に重なり、前記第１のグランドプレーン及び前記第２のグランドプレーンのいずれにも重ならない位置に配置されている。
【００２０】
一次巻線及び二次巻線と、第１のグランドプレーン及び第２のグランドプレーンとの間の寄生容量を小さくすることができる。これにより、第１のグランドプレーン上に配置される回路、及び第２のグランドプレーン上に配置される回路の一方から他方への電磁ノイズの伝搬を抑制することができる。
【００２１】
本発明の第６の観点によるパルストランスは、
巻芯部と、
前記巻芯部に巻きつけられた一次巻線及び二次巻線と、
前記一次巻線の両端にそれぞれ接続された第１の外部電極及び第２の外部電極と、
前記一次巻線のセンタータップとなる第３の外部電極と、
前記二次巻線の両端にそれぞれ接続された第４の外部電極及び第５の外部電極と、
前記二次巻線のセンタータップとなる第６の外部電極と
を有し、
平面視において、前記一次巻線及び前記二次巻線のコイル軸が直線であり、前記第１の外部電極、前記第２の外部電極、及び前記第３の外部電極が、前記コイル軸の一方の側に配置され、かつ前記コイル軸に直交する幅方向に関して前記一次巻線及び前記二次巻線よりも外側に配置されており、前記第４の外部電極、前記第５の外部電極、及び前記第６の外部電極が、前記コイル軸の他方の側に配置され、かつ、前記幅方向に関して前記一次巻線及び前記二次巻線よりも外側に配置されている。
【００２２】
この構成を持つパルストランスを、第６の観点による電子部品に適用することができる。
【発明の効果】
【００２３】
第１の配線に接続される一次巻線の第１の電極、第２の電極、及び第３の電極を、第２のグランドプレーンから遠ざけることができる。同様に、第２の配線に接続される二次巻線の第４の電極、第５の電極、及び第６の電極を第１のグランドプレーンから遠ざけることができる。この構成により、電磁ノイズの漏洩や静電気放電が生じにくい電子機器が得られる。
【図面の簡単な説明】
【００２４】
【図１】図１Ａは、第１の実施例による電子部品に用いられる表面実装型のパルストランスを底面側から見た斜視図であり、図１Ｂは、このパルストランスの等価回路図である。
【図２】図２は、第１の実施例による電子部品の一部の平面図である。
【図３】図３は、比較例による電子部品の平面図である。
【図４】図４Ａは、コモンモード信号のポートＰ１からポートＰ２への透過特性Ｓｃｃ２１の測定結果を示すグラフであり、図４Ｂは、ディファレンシャルモード信号のポートＰ１からポートＰ２への透過特性Ｓｄｄ２１の測定結果を示すグラフである。
【図５】図５は、第２の実施例による電子部品の平面図である。
【図６】図６は、第３の実施例による電子部品の平面図である。
【発明を実施するための形態】
【００２５】
図１Ａから図４Ｂまでの図面を参照して、第１の実施例による電子部品について説明する。
図１Ａは、第１の実施例による電子部品に用いられる表面実装型のパルストランス１０を底面側から見た斜視図である。巻芯部１５の両端にそれぞれ鍔部１６及び１７が設けられている。一方の鍔部１６の底面（図１Ａにおいて上方を向く面）に、第１の外部電極２１、第２の外部電極２２、及び第６の外部電極２６が配置されている。第６の外部電極２６は、相互に分離された２つの電極導体２６Ａ及び２６Ｂを含む。他方の鍔部１７の底面に、第４の外部電極２４、第５の外部電極２５、及び第３の外部電極２３が配置されている。第３の外部電極２３は、相互に分離された２つの電極導体２３Ａ及び２３Ｂを含む。
【００２６】
巻芯部１５に第１のコイル３１、第２のコイル３２、第３のコイル３３、及び第４のコイル３４が巻かれている。２つの鍔部１６及び１７の天面（図１Ａにおいて下方を向く面）に、ヨーク１８が取り付けられている。巻芯部１５、２つの鍔部１６、１７、及びヨーク１８は、例えばＮｉ−Ｚｎ系フェライト等の磁性体で形成され、閉磁路を構成している。
【００２７】
図１Ｂは、第１の実施例による電子部品に用いられるパルストランス１０の等価回路図である。第１のコイル３１の一方の端部が第３の外部電極２３の一方の電極導体２３Ａに接続され、第２のコイル３２の一方の端部が第３の外部電極２３の他方の電極導体２３Ｂに接続されている。第１のコイル３１の他方の端子が第１の外部電極２１に接続され、第２のコイル３２の他方の端子が第２の外部電極２２に接続されている。第３の外部電極２３を構成する２つの電極導体２３Ａと電極導体２３Ｂとが、実装基板上で接続されることにより、第１のコイル３１と第２のコイル３２とが直列に接続される。これにより、第１のコイル３１及び第２のコイル３２が一次巻線３６を構成する。第３の外部電極２３が一次巻線３６のセンタータップとして機能する。
【００２８】
同様に、第３のコイル３３と第４のコイル３４とが二次巻線３７を構成する。電極導体２６Ａ及び２６Ｂからなる第６の外部電極２６が、二次巻線３７のセンタータップとして機能する。二次巻線３７の両端が、それぞれ第４の外部電極２４及び第５の外部電極２５に接続される。一次巻線３６及び二次巻線３７は、共通の巻芯部１５（図１Ａ）に巻かれており、共通のコイル軸を持つ。
【００２９】
図２は、第１の実施例による電子部品の一部の平面図である。実装基板４０の実装面にパルストランス１０が実装されている。
【００３０】
実装基板４０は、仮想的な境界線４５を挟んで面内方向に分離された第１のグランドプレーン４１と第２のグランドプレーン４２とを含む。第１のグランドプレーン４１及び第２のグランドプレーン４２は、実装基板４０の実装面とは反対側の表面、または内層に配置されている。実装基板４０の、第１のグランドプレーン４１が配置された領域に一対の第１の配線４７が配置されている。一対の第１の配線４７と第１のグランドプレーン４１とによって、差動信号用の伝送線路が構成される。同様に、第２のグランドプレーン上に配置された一対の第２の配線４８と第２のグランドプレーン４２とによって、差動信号用の伝送線路が構成される。
【００３１】
パルストランス１０の一次巻線３６に接続された第１の外部電極２１、第２の外部電極２２、及び第３の外部電極２３が、境界線４５よりも第１のグランドプレーン４１側に配置され、二次巻線３７に接続された第４の外部電極２４、第５の外部電極２５、及び第６の外部電極２６が境界線４５より第２のグランドプレーン４２側に配置される姿勢で、パルストランス１０が実装基板４０に実装されている。このとき、一次巻線３６及び二次巻線３７のコイル軸が、第１のグランドプレーン４１と第２のグランドプレーン４２とを隔てる方向と直交する。すなわち、一次巻線３６及び二次巻線３７のコイル軸が境界線４５と平行になる。
【００３２】
第１の外部電極２１及び第２の外部電極２２が、それぞれ一対の第１の配線４７に接続されている。第３の外部電極２３の２つの電極導体２３Ａ及び２３Ｂ（図１Ａ）が、実装基板４０の同一のランドに接続され、コンデンサ５０を介して第１のグランドプレーン４１に接続されている。第４の外部電極２４及び第５の外部電極２５が、それぞれ一対の第２の配線４８に接続されている。第６の外部電極２６の２つの電極導体２６Ａ及び２６Ｂ（図１Ａ）が、実装基板４０の同一のランドに接続され、抵抗素子５１とコンデンサ５２との直列回路を介して第２のグランドプレーン４２に接続されている。
【００３３】
第１の配線４７は、第１のグランドプレーン４１が配置された領域の実装基板４０に実装された高周波素子５５とパルストランス１０の一次巻線３６とを接続する。第２の配線４８は、第２のグランドプレーン４２が配置された領域の実装基板４０に実装されたコネクタ５６とパルストランス１０の二次巻線３７とを接続する。
【００３４】
第１の外部電極２１と第２の外部電極２２とは、境界線４５に対して直交する方向に並んでいる。第４の外部電極２４と第５の外部電極２５も、境界線４５に対して直交する方向に並んでいる。一対の第１の配線４７は、それぞれ第１の外部電極２１及び第２の外部電極２２との接続箇所から境界線４５に平行な方向に延び、その後、境界線４５から離れる方向に延びている。同様に、一対の第２の配線４８は、それぞれ第４の外部電極２４及び第５の外部電極２５との接続箇所から境界線４５に平行な方向に延び、その後、境界線４５から離れる方向に延びている。図２に示した第１の実施例では、第１の配線４７及び第２の配線４８が、９０°折れ曲がっている。
【００３５】
次に、図３に示した比較例と比較しながら第１の実施例の優れた効果について説明する。
図３は、比較例による電子部品の平面図である。この比較例では、図２に示した第１の実施例と比べて、パルストランス１０が面内方向に９０°回転した姿勢で実装基板４０に実装されている。このため、比較例では、一次巻線３６及び二次巻線３７のコイル軸が境界線４５に対して直交する。
【００３６】
第１の外部電極２１及び第２の外部電極２２を第１のグランドプレーン４１が形成された領域に配置し、第４の外部電極２４及び第５の外部電極２５を第２のグランドプレーン４２が形成された領域に配置すると、第３の外部電極２３が第２のグランドプレーン４２と重なり、第６の外部電極２６が第１のグランドプレーン４１と重なる。このため、一次巻線３６に接続された第３の外部電極２３と第２のグランドプレーン４２との距離が短くなってしまう。同様に、二次巻線３７に接続された第６の外部電極２６と第１のグランドプレーン４１との距離が短くなってしまう。このため、静電気放電等に対する耐性が低下する。
【００３７】
また、高周波素子５５側の回路と第２のグランドプレーン４２との間の寄生容量、及びコネクタ５６側の回路と第１のグランドプレーン４１との間の寄生容量が大きくなるため、高周波素子５５側の回路で発生した電磁ノイズがコネクタ５６に接続されたケーブルに漏洩しやすくなる。
【００３８】
第１の実施例（図２）では、一次巻線３６に接続された第１の外部電極２１、第２の外部電極２２、及び第３の外部電極２３が、すべて第１のグランドプレーン４１側の領域に配置されており、二次巻線３７に接続された第４の外部電極２４、第５の外部電極２５、及び第６の外部電極２６が、すべて第２のグランドプレーン４２側の領域に配置されている。
【００３９】
この構成により、高周波素子５５側の回路とコネクタ５６側の回路との距離が、比較例（図３）に比べて遠くなる。このため、静電気放電等に対して高い耐性が得られる。さらに、高周波素子５５側の回路で発生した電磁ノイズの、ケーブルへの漏洩を抑制することができる。
【００４０】
また、第１の実施例の構成においても、図３に示した比較例の構成と同様に、第１の配線４７は第１のグランドプレーン４１が配置された領域に形成され、第２の配線４８は第２のグランドプレーン４２が配置された領域に形成されている。このため、伝送線路の特性インピーダンスの不整合による信号の反射が発生することもない。
【００４１】
次に、図４Ａ及び図４Ｂを参照して、第１の実施例による電子部品（図２）と比較例による電子部品（図３）との高周波素子５５からコネクタ５６までの透過特性を測定した結果について説明する。
【００４２】
第１の実施例（図２）及び比較例（図３）による電子部品の高周波素子５５と第１の配線４７との２箇所の接続点をポートＰ１及びポートＰ３とし、コネクタ５６と第２の配線４８との２箇所の接続点をポートＰ２及びポートＰ４とする。ポートＰ１及びポートＰ３からコモンモード信号及びディファレンシャルモード信号を入力し、ポートＰ２及びポートＰ４に出力される信号の強度を、ネットワークアナライザにより測定した。
【００４３】
図４Ａは、コモンモード信号のポートＰ１からポートＰ２への透過特性Ｓｃｃ２１の測定結果を示すグラフである。横軸は周波数の単位「ＭＨｚ」で表し、縦軸は透過特性Ｓｃｃ２１を単位「ｄＢ」で表す。第１の実施例による電子部品（図２）の透過特性Ｓｃｃ２１を実線で示し、比較例による電子部品（図３）の透過特性Ｓｃｃ２１を破線で示す。
【００４４】
約１５０ＭＨｚより高い周波数域で、第１の実施例による電子部品の透過特性Ｓｃｃ２１が比較例による電子部品の透過特性Ｓｃｃ２１より低くなっていることがわかる。この差は、高周波素子５５側の回路とコネクタ５６側の回路との間の寄生容量の差に起因する。第１の実施例による電子部品の構成を採用することにより、高周波素子５５で発生したコモンモードノイズがコネクタ５６を介してケーブルまで漏洩することを抑制できることが確認された。
【００４５】
図４Ｂは、ディファレンシャルモード信号のポートＰ１からポートＰ２への透過特性Ｓｄｄ２１の測定結果を示すグラフである。横軸は周波数の単位「ＭＨｚ」で表し、縦軸は透過特性Ｓｄｄ２１を単位「ｄＢ」で表す。第１の実施例による電子部品（図２）の透過特性Ｓｄｄ２１を実線で示し、比較例による電子部品（図３）の透過特性Ｓｄｄ２１を破線で示す。
【００４６】
約１５００ＭＨｚより高い周波数域においても、第１の実施例による電子部品の透過特性Ｓｄｄ２１と比較例による電子部品の透過特性Ｓｄｄ２１との間に有意な差は現れていない。第１の実施例では、第１の配線４７及び第２の配線４８が９０°折れ曲がっているため、折れ曲がり箇所で信号の反射が生じることが懸念されるが、図４Ｂに示した測定結果から、折れ曲がりの影響は表れていないことがわかる。第１の実施例による電子部品は、高周波素子５５とコネクタ５６との間で、比較例による電子部品と同程度に、ディファレンシャルモード信号を伝送することができることが確認された。
【００４７】
第１の配線４７及び第２の配線４８（図２）の折れ曲がりの影響を実質的に無視できるようにするために、第１の配線４７とパルストランス１０との接続点、及び第２の配線４８とパルストランス１０との接続点から折れ曲がり箇所までの伝送線路の長さを、送受信すべき電気信号の周波数域における波長の１０％以下にすることが好ましい。
【００４８】
［第２の実施例］
次に、図５を参照して第２の実施例による電子部品について説明する。以下、第１の実施例による電子部品と共通の構成については説明を省略する。
【００４９】
図５は、第２の実施例による電子部品の平面図である。第２の実施例においても、パルストランス１０の一次巻線３６及び二次巻線３７のコイル軸が境界線４５と平行になる姿勢で、パルストランス１０が実装基板４０に実装されている。平面視において、一次巻線３６及び二次巻線３７は、境界線４５に重なり、第１のグランドプレーン４１及び第２のグランドプレーン４２のいずれにも重ならない位置に配置されている。すなわち、一次巻線３６及び二次巻線３７は、第１のグランドプレーン４１と第２のグランドプレーン４２との間の、グランドプレーンが配置されていない帯状の領域内に配置されている。
【００５０】
第２の実施例においても、第１の実施例の構成と同様に、第１の外部電極２１、第２の外部電極２２、及び第３の外部電極２３が第１のグランドプレーン４１に重なり、第４の外部電極２４、第５の外部電極２５、及び第６の外部電極２６が第２のグランドプレーン４２に重なる。
【００５１】
コイル軸方向に対して直交する方向（幅方向）に関して、第１の外部電極２１、第２の外部電極２２、及び第３の外部電極２３が、一次巻線３６及び二次巻線３７よりも第１のグランドプレーン４１側に配置されており、さらに、一次巻線３６及び二次巻線３７よりも外側に配置されている。同様に、幅方向に関して、第４の外部電極２４、第５の外部電極２５、及び第６の外部電極２６が、一次巻線３６及び二次巻線３７よりも第２のグランドプレーン４２側に配置されており、さらに、一次巻線３６及び二次巻線３７よりも外側に配置されている。パルストランス１０がこのような構成を有するため、一次巻線３６及び二次巻線３７が第１のグランドプレーン４１及び第２のグランドプレーン４２のいずれとも重ならないように、パルストランス１０を実装基板４０に実装することが可能になる。
【００５２】
次に、第２の実施例による電子部品の優れた効果について説明する。
第２の実施例では、パルストランス１０の一次巻線３６及び二次巻線３７と第１のグランドプレーン４１との間の寄生容量、及び一次巻線３６及び二次巻線３７と第２のグランドプレーン４２との間の寄生容量が低減される。このため、高周波素子５５側の回路と、コネクタ５６側の回路との結合を弱め、コネクタ５６に接続されるケーブルへのコモンモードノイズの漏洩を抑制する効果を高めることができる。
【００５３】
［第３の実施例］
次に、図６を参照して第３の実施例による電子部品について説明する。以下、第１の実施例による電子部品と共通の構成については説明を省略する。
【００５４】
図６は、第３の実施例による電子部品の平面図である。第１の実施例では、第１のグランドプレーン４１と第２のグランドプレーン４２とを面内方向に分離する境界線４５が１本の直線であったが、第３の実施例では、境界線４５が必要に応じて折れ曲がっている。
【００５５】
高周波素子５５からコネクタ５６までの伝送線路（第１の配線４７及び第２の配線４８）は折れ曲がり部を持たず、伝送線路が延びる方向に対して、一次巻線３６及び二次巻線３７のコイル軸が平行になるようにパルストランス１０が実装されている。パルストランス１０の直下の領域においては、境界線４５の方向と、一次巻線３６及び二次巻線３７のコイル軸の方向とは、第１の実施例の場合と同様に平行である。第１の外部電極２１、第２の外部電極２２、及び第３の外部電極２３が第１のグランドプレーン４１と重なり、第４の外部電極２４、第５の外部電極２５、及び第６の外部電極２６が第２のグランドプレーン４２と重なる。
【００５６】
第１の実施例では、図３に示した比較例の構成に対してパルストランス１０を９０°回転させて実装したが、第３の実施例では、パルストランス１０を回転させる代わりにパルストランス１０の直下の境界線４５を９０°回転させている。第３の実施例においても、第１の外部電極２１、第２の外部電極２２、及び第３の外部電極２３が第１のグランドプレーン４１と重なり、第４の外部電極２４、第５の外部電極２５、及び第６の外部電極２６が第２のグランドプレーン４２と重なるため、第１の実施例と同様の効果を得ることができる。さらに、第３の実施例では、高周波素子５５とコネクタ５６とを接続する伝送線路に折れ曲がり部を設ける必要がない。
【００５７】
上述の各実施例は例示であり、異なる実施例で示した構成の部分的な置換または組み合わせが可能であることは言うまでもない。複数の実施例の同様の構成による同様の作用効果については実施例ごとには逐次言及しない。さらに、本発明は上述の実施例に制限されるものではない。例えば、種々の変更、改良、組み合わせ等が可能なことは当業者に自明であろう。
【符号の説明】
【００５８】
１０  パルストランス
１５  巻芯部
１６、１７  鍔部
１８  ヨーク
２１  第１の外部電極
２２  第２の外部電極
２３  第３の外部電極
２３Ａ、２３Ｂ  第３の外部電極の電極導体
２４  第４の外部電極
２５  第５の外部電極
２６  第６の外部電極
２６Ａ、２６Ｂ  第６の外部電極の電極導体
３１  第１のコイル
３２  第２のコイル
３３  第３のコイル
３４  第４のコイル
３６  一次巻線
３７  二次巻線
４０  実装基板
４１  第１のグランドプレーン
４２  第２のグランドプレーン
４５  境界線
４７  第１の配線
４８  第２の配線
５０  コンデンサ
５１  抵抗素子
５２  コンデンサ
５５  高周波素子
５６  コネクタ
【図１】
2018107305.tif 000003
【図２】
2018107305.tif 000004
【図３】
2018107305.tif 000005
【図４】
2018107305.tif 000006
【図５】
2018107305.tif 000007
【図６】
2018107305.tif 000008